(57)【要約】  一連の連続画像のうち操作者が所望する画像範囲のみを所望の再生速度で再生することができるＸ線画像診断装置を提供する。  時系列に連続したＸ線画像全体の時間長さに、全体の長さが対応した第１の帯状領域４４と、長さ方向の複数の位置が予め定めた複数種類の再生速度にそれぞれ対応した第２の帯状領域４４とを表示装置に表示させる。第１の帯状領域４４上で操作者が位置を指定した場合には、当該指定した位置に対応するＸ線画像を、連続したＸ線画像の中から選択し、表示装置に表示させる。第２の帯状領域４５上で操作者が位置を指定した場合には、当該指定した位置に対応する速度で、選択して表示させているＸ線画像から時系列に連続するＸ線画像を順に読みだして表示装置に表示させる。
2013046901.tif 000002
【特許請求の範囲】
【請求項１】
時系列に連続したＸ線画像を格納する記憶装置と、前記Ｘ線画像の再生の制御を行う表示制御部とを有し、
前記表示制御部は、
前記連続したＸ線画像全体の時間長さに、全体の長さが対応した第１の帯状領域と、長さ方向の複数の位置が予め定めた複数種類の再生速度にそれぞれ対応した第２の帯状領域とを表示装置に表示させ、
前記第１の帯状領域上で操作者が位置を指定した場合には、当該指定した位置に対応するＸ線画像を、前記連続したＸ線画像の中から選択して前記表示装置に表示させ、
前記第２の帯状領域上で操作者が位置を指定した場合には、当該指定した位置に対応する速度で、前記選択して表示させているＸ線画像から時系列に連続するＸ線画像を順に読みだして前記表示装置に表示させることを特徴とするＸ線画像診断装置。
【請求項２】
請求項１に記載のＸ線画像診断装置において、
前記表示制御部は、
前記時系列に連続したＸ線画像のうち所定の時間範囲の連続画像を登録するための再生開始画像登録ボタンおよび再生終了画像登録ボタンを前記表示装置に表示させ、
操作者が前記再生開始画像登録ボタンを操作した場合には、その時点で前記表示装置に表示されているＸ線画像を、前記所定の時間範囲の連続画像の再生開始画像として前記記憶装置に登録し、
操作者が前記再生終了画像登録ボタンを操作した場合には、その時点で前記表示装置に表示されているＸ線画像を前記所定の時間範囲の連続画像の再生終了画像として前記記憶装置に登録することを特徴とするＸ線画像診断装置。
【請求項３】
請求項２に記載のＸ線画像診断装置において、
前記表示制御部は、
再生を指示する再生ボタンを前記表示装置に表示させ、
前記再生ボタンを操作者が操作した場合、前記記憶装置に登録された前記再生開始画像から前記再生終了画像までを順次再生し、
当該再生中に前記第２の帯状領域上で操作者が位置を指定した場合には、当該指定した位置に対応する速度に再生速度を変更することを特徴とするＸ線画像診断装置。
【請求項４】
請求項１に記載のＸ線画像診断装置において、
前記表示制御部は、
前記第２の帯状領域上で操作者が位置を指定するためのスライダーボタンを表示し、
操作者が前記第２の帯状領域上で前記スライダーボタンにより位置指定操作を継続している場合は、前記スライダーボタンを指定された位置に停止させ、操作者が前記スライダーボタンの操作を終了した場合は、前記第２の帯状領域上の予め定めた位置に前記スライダーボタンを戻すことを特徴とするＸ線画像診断装置。
【請求項５】
請求項３に記載のＸ線画像診断装置において、
前記表示制御部は、
前記再生開始画像および前記再生終了画像の時間位置にそれぞれ対応する前記第１の帯状領域上の位置に、所定のマークを表示することを特徴とするＸ線画像診断装置。
【請求項６】
請求項３に記載のＸ線画像診断装置において、
前記表示制御部は、
操作者が再生を指示する第２の再生ボタンを前記第１の帯状領域上に表示させ、
前記表示装置に現在表示されているＸ線画像の時間位置に対応する前記第１の帯状領域上の位置に、前記第２の再生ボタンを移動させることを特徴とするＸ線画像診断装置。
【請求項７】
請求項２に記載のＸ線画像診断装置において、Ｘ線画像を順次加算してピークホールド画像を生成するピークホールド画像生成部をさらに有し、
前記表示制御部は、
前記ピークホールド画像の生成の指示を操作者から受け付けるピークホールドボタンを前記表示装置に表示させ、
前記ピークホールドボタンを操作者が操作した場合、前記再生開始画像から前記再生終了画像までの再生画像を順次、前記ピークホールド画像生成部に受け渡し、その時点までの前記ピークホールド画像を順次生成させ、
生成された前記ピークホールド画像を順次表示させることを特徴とするＸ線画像診断装置。
【請求項８】
時系列に連続したＸ線画像の表示方法であって、
前記連続したＸ線画像全体の時間長さに、全体の長さが対応した第１の帯状領域と、長さ方向の複数の位置が予め定めた複数種類の再生速度にそれぞれ対応した第２の帯状領域とを表示装置に表示させ、
前記第１の帯状領域上で操作者が位置を指定した場合には、当該指定した位置に対応するＸ線画像を、前記連続したＸ線画像の中から選択し、前記表示装置に表示させ、
前記第２の帯状領域上で操作者が位置を指定した場合には、当該指定した位置に対応する速度で、前記選択して表示させているＸ線画像から時系列に連続するＸ線画像を順に読みだして前記表示装置に表示させることを特徴とするＸ線画像の表示方法。
【発明の詳細な説明】
【技術分野】
【０００１】
本発明は、Ｘ線画像診断装置に関わり、特に、多数の連続画像のうち操作者の所望の連続範囲を所望の表示速度で表示可能な装置に関わる。
【背景技術】
【０００２】
被検体の血管に造影剤を注入し、連続してＸ線撮影を行うＸ線シネ撮影（アンギオグラフィ）が行われている。得られた多数の連続画像（シネ画像）は、画像メモリに記録される。これらの画像は、操作者の操作により、撮影後に画像メモリから読み出され、静画像表示されたり、連続的に読み出されて動画表示（シネ画像表示）される。【０００３】
特許文献１には、シネ画像の動画表示の際に、操作者がつまみを回転させて、静止画像表示か動画表示かの選択、動画の再生速度（更新速度）の選択、再生方向（逆転再生か）の制御を行うことが開示されている。つまみの外側には、表示速度、静止、逆転再生の表示速度を示す印が刻設されており、操作者はつまみを回転させて所望の印の位置に合わせることにより、これらを選択する。【０００４】
また、複数画像の各画素のピークコントラストを検出して保持することにより、複数画像を加算し、血管を流れていく造影剤像を重畳して全血管像を得る手法も例えば特許文献２等により知られている。
【先行技術文献】
【特許文献】
【０００５】
【特許文献１】特開平６−１６５１８８号公報（特に、図３）
【特許文献２】特開平６−１６５０３５号公報
【発明の開示】
【発明が解決しようとする課題】
【０００６】
アンギオグラフィでは、所定の撮像領域の血管に造影剤が流れ込み、流れ出ていく状態を連続して撮影する必要があるために、造影剤が流れ込む前から撮影を開始し、造影剤が流出した後に撮影を終了させる。このため、一連の画像のうち最初の複数枚は造影剤が流れ込む前に撮影されたものであるため、造影剤の像が映っておらず、最後の複数枚も造影剤が流出した後に撮影されたものであるため、造影剤の像は映っていない。【０００７】
しかしながら、動画再生する際には、これらの造影剤の像が映っていない画像も一連の画像として再生されるため、操作者が本当に見たい造影剤が流れていく連続画像の前後に、造影剤像の映っていない画像も再生される。操作者は、何回も同じ連続画像を、再生速度やピークホールドの有無等の再生条件を変えながら繰り返し再生することで、血管の形状や造影剤の流れる状態を把握し診断を行う。一連の画像の１回の再生時間が数十秒〜数分であっても、診断がつくまで繰り返し再生するため、再生に時間がかかる。このため、所望の時間範囲の画像のみを所望の再生速度で短時間に簡単な操作で繰り返し再生できる装置が望まれている。【０００８】
本発明の目的は、一連の連続画像のうち操作者が所望する画像範囲のみを所望の再生速度で再生することができるＸ線画像診断装置を提供することにある。
【課題を解決するための手段】
【０００９】
上記目的を達成するために、本発明によれば以下のようなＸ線画像診断装置が提供される。この装置は、時系列に連続したＸ線画像を格納する記憶装置と、前記Ｘ線画像の再生の制御を行う表示制御部とを有する。表示制御部は、連続したＸ線画像全体の時間長さに、全体の長さが対応した第１の帯状領域と、長さ方向の複数の位置が予め定めた複数種類の再生速度にそれぞれ対応した第２の帯状領域とを表示装置に表示させる。また、第１の帯状領域上で操作者が位置を指定した場合には、当該指定した位置に対応するＸ線画像を、連続したＸ線画像の中から選択し、表示装置に表示させる。第２の帯状領域上で操作者が位置を指定した場合には、当該指定した位置に対応する速度で、選択して表示させているＸ線画像から時系列に連続するＸ線画像を順に読みだして表示装置に表示させる。
【発明の効果】
【００１０】
本発明によれば、第１の帯状領域上で一連の連続画像のうち操作者が所望する画像を指定でき、第２の帯状領域上で所望の再生速度を指定できるため、所望の画像範囲を再生速度で容易に再生することができる。
【図面の簡単な説明】
【００１１】
【図１】本実施形態のＸ線画像診断装置の全体構成を示すブロック図。
【図２】図１の制御装置４１３の機能の一部を示す機能ブロック図。
【図３】表示制御部１１の動作を示すフローチャート。
【図４】（ａ），（ｂ）操作卓４０７の表示部の画面例を示す説明図。
【図５】（ａ），（ｂ）操作卓４０７の表示部の画面上の画像再生操作用トラックバー４４を示す説明図。
【図６】（ａ）〜（ｃ）操作卓４０７の表示部の画面上の再生速度操作用スライダー４５を示す説明図。
【図７】操作卓４０７の表示部の画面上の画像再生操作用トラックバー４４を示す説明図。
【図８】表示制御部１１の動作を示すフローチャート。
【図９】（ａ）〜（ｃ）操作卓４０７の表示部の画面上の画像再生操作用トラックバー４４を示す説明図。
【図１０】（ａ）、（ｂ）操作卓４０７の表示部の画面上の再生速度操作用スライダー４５を示す説明図。
【図１１】操作卓４０７の表示部の画面上の再生速度操作用スライダー４５を示す説明図。
【図１２】操作卓４０７の表示部の画面例を示す説明図。
【図１３】表示制御部１１の動作を示すフローチャート。
【図１４】（ａ）操作卓４０７の表示部に表示された再生画像の例、（ｂ）ピークホールド画像の例。
【図１５】表示制御部１１の動作を示すフローチャート。
【図１６】表示制御部１１の動作を示すフローチャート。
【図１７】表示制御部１１の動作を示すフローチャート。
【図１８】表示制御部１１の動作を示すフローチャート。
【図１９】表示制御部１１の動作を示すフローチャート。
【図２０】表示制御部１１の動作を示すフローチャート。
【発明を実施するための形態】
【００１２】
本発明のＸ線画像診断装置は、時系列に連続したＸ線画像を格納する記憶装置と、Ｘ線画像の再生の制御を行う表示制御部とを有する。表示制御部は、連続したＸ線画像全体の時間長さに、全体の長さが対応した第１の帯状領域と、長さ方向の複数の位置が、予め定めた複数種類の再生速度にそれぞれ対応した第２の帯状領域とを表示装置に表示させる。第１の帯状領域上で操作者が位置を指定した場合には、当該指定した位置に対応するＸ線画像を、連続したＸ線画像の中から選択し、表示装置に表示させる。第２の帯状領域上で操作者が位置を指定した場合には、当該指定した位置に対応する速度で、選択して表示させているＸ線画像から時系列に連続するＸ線画像を順に読みだして表示装置に表示させる。
【００１３】
これにより、一連の連続画像のうち操作者が所望する画像範囲のみを所望の再生速度で再生することができる。
【００１４】
表示制御部は、例えば、時系列に連続したＸ線画像のうち所定の時間範囲の連続画像を登録するための再生開始画像登録ボタンおよび再生終了画像登録ボタンを表示装置に表示させる構成とする。操作者が前記再生開始画像登録ボタンを操作した場合には、その時点で表示装置に表示されているＸ線画像を、所定の時間範囲の連続画像の再生開始画像として記憶装置に登録する。操作者が再生終了画像登録ボタンを操作した場合には、その時点で前記表示装置に表示されているＸ線画像を所定の時間範囲の連続画像の再生終了画像として記憶装置に登録する。
【００１５】
また例えば、表示制御部は、再生を指示する再生ボタンを表示装置に表示させてもよい。再生ボタンを操作者が操作した場合、記憶装置に登録された再生開始画像から再生終了画像までを順次再生する。再生中に第２の帯状領域上で操作者が位置を指定した場合には、当該指定した位置に対応する速度に再生速度を変更する。
【００１６】
また、表示制御部は、第２の帯状領域上で操作者が位置を指定するためのスライダーボタンを表示することもできる。操作者が第２の帯状領域上でスライダーボタンにより位置指定操作を継続している場合は、スライダーボタンを指定された位置に停止させ、操作者がスライダーボタンの操作を終了した場合は、第２の帯状領域上の予め定めた位置にスライダーボタンを戻す。
【００１７】
表示制御部は、再生開始画像および再生終了画像の時間位置にそれぞれ対応する第１の帯状領域上の位置に、所定のマークを表示することも可能である。
【００１８】
表示制御部は、操作者が再生を指示する第２の再生ボタンを第１の帯状領域上に表示させる構成としてもよい。この場合、表示装置に現在表示されているＸ線画像の時間位置に対応する第１の帯状領域上の位置に、第２の再生ボタンを移動させる。
【００１９】
Ｘ線画像を順次加算してピークホールド画像を生成するピークホールド画像生成部をさらに有する構成とすることも好ましい。この場合、表示制御部は、ピークホールド画像の生成の指示を操作者から受け付けるピークホールドボタンを表示装置に表示させる。ピークホールドボタンを操作者が操作した場合、再生開始画像から再生終了画像までの再生画像を順次、ピークホールド画像生成部に受け渡し、その時点までのピークホールド画像を順次生成させ、生成されたピークホールド画像を順次表示させる。
【００２０】
以下、本発明の一実施形態のＸ線画像診断装置について具体的に説明する。
【００２１】
まず、本実施形態のＸ線画像診断装置の全体構成を図１を用いて説明する。図１に示すように、Ｘ線画像診断装置は、Ｘ線管８と、Ｘ線管支持装置４１０と、コリメータ４１１と、Ｘ線受像装置４１２ａ、４１２ｂと、Ｘ線高電圧装置４２７と、制御装置４１３と、操作卓４０７とを備えている。Ｘ線管８は、被検体に照射するＸ線を発生する装置である。Ｘ線管支持装置４１０は、Ｘ線管８からのＸ線を照射する向きを変える機構部と、伸縮部４１５とを有している。また、Ｘ線管支持装置４１０は、天井４１６に配設されたレール４１７に取り付けられ、レール４１７に沿って移動可能な構造となっている。コリメータ４１１は、Ｘ線の照射野を決定する。Ｘ線高電圧装置４２７は、設定された管電圧および管電流をＸ線管８に供給する。
【００２２】
Ｘ線受像装置４１２ａ、４１２ｂは、被検体を透過したＸ線を受像する装置であって、本実施形態では２台配置されている。Ｘ線受像装置４１２ａは、立射の被検体を撮影するためのものであり、Ｘ線受像装置４１２ｂは、臥位の被検体を撮影するためのものである。立位用のＸ線受像装置４１２ａは、イメージインテンシファイヤとＴＶカメラとを組み合わせた撮影部４１９と、撮影部４１９を支持する支持台４２０とを有する。臥位用のＸ線受像装置４１２ｂは、イメージインテンシファイヤとＴＶカメラとを組み合わせた撮影部４２１が内蔵された寝台４２２を含む。立位用のＸ線受像装置４１２ａを用いる場合には、図１のようにＸ線管８とコリメータ４１１を立位用Ｘ線受像装置４１２ａに向け、臥位用のＸ線受像装置４１２ｂを用いる場合は、Ｘ線管８とコリメータ４１１を下向きにする。
【００２３】
操作卓４０７は、操作部と表示部とを備えている。操作部は、撮像条件や再生条件の設定を受け付ける。撮像条件は、例えばＸ線管８の管電圧、管電流、撮影時間等の撮影時の条件である。再生条件は、撮影した一連の画像を静止画像表示するか動画表示するかの選択や、動画の再生速度（更新速度）の選択等である。操作部は、操作ボタンや、マウスや、キーボード、タッチパネル等により構成する。表示部には、選択可能な撮像条件や再生条件や、マウスやキーボード、タッチパネルによる操作を受け付けるための操作用画面が表示される。また、表示部には、再生静止画像や再生動画像が表示される。
【００２４】
制御装置４１３は、ＣＰＵと記憶装置を内蔵しており、予め記憶装置に格納されたプログラムをＣＰＵが読み込んで実行することにより、上記の各装置をそれぞれ制御し、撮影を実行させるとともに、撮像で得られた画像や撮影条件を記憶装置に格納する。また、操作卓４０７の操作部が操作者から受け付けた操作に応じて、所望の再生速度で所望のシネ画像を再生等する画像制御を行う。また、制御装置４１３には、メモリが内蔵されており、撮影条件と撮影画像とが格納される。
【００２５】
制御装置４１３の画像制御機能を図２に示す。図２のように、制御装置４１３は、操作卓４０７の表示部に表示される画像の制御を行う表示制御部１１と、ピークホールド画像生成部１２とを有する。
【００２６】
つぎに、操作卓４０７における操作と、制御装置４１３の画像制御について図面を用いて説明する。図３は、操作卓４０７における操作と画像制御の動作を示すフローチャートである。図４は、操作卓４０７の表示部の表示画面である。
【００２７】
ここでは、被検体の血管に造影剤を注入して、Ｘ線をＸ線管８から照射しながら連続してＸ線受像装置４１２ａ，４１２ｂで取得した連続画像（シネ画像とも呼ぶ）が、制御装置４１３の記憶装置に格納されているとして以下説明する。
【００２８】
表示画面は、画像表示領域４１と、種々の操作ボタンや操作スライダが表示される操作用表示領域４２とを有する。なお、本実施形態では、操作卓４０７の表示部は、タッチパネル構造であり、操作者が指で画面をタッチ（押下）することにより、操作を選択することができる。
【００２９】
初期画面において操作用表示領域４２には、種々の操作ボタンの中に、図４（ａ）のようにシネ（Ｃｉｎｅ）ボタン４３が表示制御部１１によって表示されている。操作者がシネボタン４３を押下すると、動画像の再生を行うための表示画面（図４（ｂ））が表示制御部１１によって表示される（ステップ３１，３２）。動画像再生用の表示画面（図４（ｂ））では、操作用表示領域４２に、画像再生操作用トラックバー４４、再生速度操作用スライダー４５、再生開始画像・終了画像登録ボタン４６およびピークホールドボタン４７を含む複数の操作用ボタンが表示される。
【００３０】
本実施形態では、画像再生操作用トラックバー４４により、一連の画像のうち所望の範囲の画像を指定して、すなわち連続画像を所望範囲に絞り込んで動作再生を行うことができる。さらに、画像再生操作用トラックバー４４の操作に、再生速度操作用スライダー４５の操作を組み合わせることにより、再生する範囲の微調整および再生速度の微調整等の複雑な指示を容易に行うことができる。
【００３１】
まず、連続画像のうち再生する画像範囲の絞り込み動作について説明する。
【００３２】
図５（ａ）、（ｂ）は、画像再生操作用トラックバー４４の拡大図である。画像再生操作用トラックバー４４は、互いに逆向きの矢印マークが描かれた送りボタン５１，５２が両端に配置された帯状領域５３と、帯状領域５３の上をスライド可能な再生・停止ボタン５４とを備えている。再生・停止ボタン５４は、押下する度に再生／停止状態に交互に切り替わる。停止状態では、このボタン５４を押下することで再生指示を受け付け可能であることを示す右向きの三角マークがボタン内に図５(ａ)のように表示される。再生状態では、このボタン５４を押下することで停止指示を受け付け可能であることを示す２本の縦線マークがボタン５４内に表示される。
【００３３】
帯状領域５３は、その長さ方向が、制御装置４１３の記憶装置に格納された一連の連続画像（シネ画像）の全体の時間軸に対応している。すなわち、帯状領域５３の左端が連続画像の先頭の画像に対応し、右端が連続画像の終了の画像に対応している。
【００３４】
帯状領域５３の所望の位置を操作者が指で押下することにより、押下した位置に対応する画像を選択する（ステップ３３）。表示制御部１１は、帯状領域５３の押下位置に対応する画像のデータを記憶装置の連続画像データの中から読みだして、画像表示領域４１に表示させる。これと同時に、再生・停止ボタン５４を押下された位置まで移動させ、再生・停止ボタン５４よりも左側の帯状領域５３の色を所定の色に変化させ、押下された位置を操作者に示す（ステップ３４）。
【００３５】
これにより、操作者は、連続画像の先頭部分の造影剤がまだ撮像領域の血管に流れ込んでいない画像を飛ばして、操作者が指定した画像を表示できるため、造影剤が映っている最初の画像を探索して表示することができる。
【００３６】
送りボタン５１，５２を押下することにより、選択された画像を一画像ずつ押下した回数だけ、それぞれ先頭／終了の方向の画像にずらすことができる。よって、送りボタン５１、５２を押下することにより、再生・停止ボタン５４も左側／右側に押下した回数に応じて移動する。これにより、造影剤像が映っている最初の画像を探索することができる。
【００３７】
しかしながら、この調整のみでは、造影剤が映っている最初の画像を見つけるのは容易ではない。よって、上記操作で大まかなあたりをつけた上で、さらに再生速度操作用スライダー４５により、造影剤が映っている最初の画像をさらに探索する。
【００３８】
再生速度操作用スライダー４５は、再生・停止ボタン６１と、スライダーボタン６３と、帯状領域６２と、選択画像をずらしていく速度を示す矢印表示６４とを含む。
【００３９】
再生・停止ボタン６１は、押下する度に再生／停止状態に交互に切り替わる。停止状態では、このボタン６１を押下することで再生指示を受け付け可能であることを示す右向きの三角マークがボタン６１内に図６(ａ)のように表示される。再生状態では、このボタン６１を押下することで停止指示を受け付け可能であることを示す２本の縦線がボタン内に表示される。絞り込み動作では、再生・停止ボタン６１は押下しない。
【００４０】
スライダーボタン６３を、図６（ａ），（ｂ）のように操作者が帯状領域６２に沿って右または左にスライドさせると、表示制御部１１は、スライドした量に応じた速度まで加速しながら、現在の画像を連続画像の終了方向または先頭方向に一画像ずつ画像表示領域４１に連続表示する（ステップ３５）。すなわちスライド量が大きければ大きく早送りしながら連続表示し、スライド量が小さければゆっくり連続表示する。
【００４１】
操作者がスライダーボタン６３から手を離すと、表示制御部１１は、図６（ｃ）のようにスライダーボタン６３を真中の位置に戻し、画像の移動を停止する（ステップ３６）。
【００４２】
これにより、スライダーボタン６３のスライド量に応じた速度で、画像表示領域にトラックバー４４で選択した画像の周辺の画像を連続表示することができる。よって、操作者は画像表示領域４１に表示される連続画像を見て、造影剤が映っている画像を見つけることができる。
【００４３】
再生回転・終了点設定ボタン４６は、「From」ボタン４６ａと「To」ボタン４６ｂとを含む。操作者は、上記操作により造影剤が映った最初の画像を見つけたならば「From」ボタン４６ａを押下する（ステップ３７）。これにより、表示制御部１１は、この画像のデータを「再生開始画像」として登録する。具体的には、フラグを立てる等して、記憶装置に記憶する。また、図７のように、画像再生操作用トラックバー４４の帯状領域５３の再生開始画像に対応する位置を示す矢印７１と縦線７２を表示する（ステップ３８）。
【００４４】
同様に、ステップ３３〜３６を繰り返し、造影剤が映っている最後の画像を見つけたならば、操作者は、「To」ボタン４６ｂを押下する（ステップ３９）。これにより、表示制御部１１は、その画像データを「再生終了画像」としてフラグを立てる等して、記憶装置に記憶する。また、画像再生操作用トラックバー４４の帯状領域５３の再生終了画像に対応する位置を示す矢印７３と縦線７４を表示する（ステップ３８）。さらに縦線７１と縦線７４の間の領域に対して、その外側の明度を落として表示することで、絞り込まれた再生範囲と、再生されない範囲をわかりやすく表示する。
【００４５】
上記操作により、一連のシネ画像のうち再生する範囲を絞り込んだならば、絞り込んだ範囲の画像を動画表示、または、再生しながらピークホールド画像を生成して表示することができる。この動作を図８のフローを用いて以下説明する。
【００４６】
操作者は、以下の６種類の操作のいずれにより、再生または再生しながらピークホールド画像の表示を行うことができる。まず、ピークホールド処理を行わない再生操作について説明する。
【００４７】
操作者がピークホールドボタン４７を押下していない状態で（ステップ８１）、画像再生操作用トラックバー４４の再生・停止ボタン５４を押下した場合、表示制御部１１は、すでに絞り込まれている再生範囲の先頭の「再生開始画像」から画像を順に読み出して１倍の速度で画像表示エリア４１に表示させる（ステップ８２，８３）。これにより、再生・停止ボタン５４内のマークは、停止指示が受け付け可能であることを示す２本の縦線マークが図９（ａ）のように表示される。
【００４８】
また、図９（ｂ）のように操作者が画像再生操作用トラックバー４４の帯状領域５３の所望の位置を押下した場合、押下によって指定された位置の画像が即座に表示され、途中の画像はスキップされて表示されない。また、再生・停止ボタン５４を所望の位置までスライドさせた場合、スライドさせた範囲の画像がスライド速度に応じて順次表示される（ステップ８４，８５）。
【００４９】
また、図９（ｃ）のように操作者が右向きの送りボタン５２を押下した場合には、押下するたびに画像が１枚ずつ順送りで表示される（ステップ８６，８７）。また、左向きの送りボタン５１が押下された場合には、押下するたびに画像が１枚ずつ逆送りで表示される。
【００５０】
また、図１０（ａ）、（ｂ）のように操作者は、再生速度操作用スライダー４５を操作することにより再生を行うことができる。すなわち、図１０（ａ）のように操作者が、再生速度操作用スライダー４５の再生・停止ボタン６１を押下した場合、表示制御部１１は１倍の速度で画像を再生する（ステップ８８，８９）。再生・停止ボタン６１内のマークは、停止指示が受け付け可能であることを示す２本の縦線マークが図１０（ａ）のように表示される。再生中は、帯状領域６２の上部に再生速度および再生方向を示す目盛表示６５（「×１」「×４」「×８」「×−４」「×−８」）が表示される。「×１」「×４」「×８」は、それぞれ１倍速再生、４倍速再生、８倍速再生を表し、「×−４」「×−８」は、それぞれ４倍速逆再生、８倍速逆再生を表わす。再生・停止ボタン６１が押下され１倍速再生が開始されると、表示制御部１１はスライダーボタン６３を目盛表示６５の「×１」の位置に移動させ、１倍速再生を行っていることを操作者に示す。
【００５１】
図１０（ｂ）のように再生中に、操作者がスライダーボタン６３をスライドさせると、表示制御部１１は、再生速度をスライド位置の目盛表示６５に応じた速度で画像を再生する（ステップ９０、９１）。スライダーボタン６３は、スライドした位置にとどまり、その速度での再生が継続する。
【００５２】
また、図１１のように、操作者が再生速度操作用スライダー４５の再生・停止ボタン４５を押下せず、停止状態のまま、スライダーボタン６３をスライドさせた場合には、表示制御部１１は、スライドした位置の目盛の再生速度で、絞り込まれた画像範囲の「再生開始画像」から再生を開始する（ステップ９２，９３）。操作者が、スライダーボタン６３から手を離したならば、表示制御部１１は、スライダーボタン６３を元の位置に戻し、再生を停止させる。
【００５３】
上記ステップ８２〜９１により再生が行われているときに、再生・停止ボタン５１または６１が押下されると再生は停止される（ステップ９４、９６）。また、上記各ステップにより再生中に画像が、絞り込みにより登録された「再生終了画像」に到達した場合にも再生は終了される。これにより、「再生終了画像」以降の画像は再生されず、操作者が絞り込んだ範囲のみの画像を再生することができる。上記では、「再生終了画像」に到達した場合にも再生は終了される例を示したが、これに限らず、「再生終了画像」に到達した場合にループ再生する様に構成することも可能である。
【００５４】
上記ステップ８２〜９５は、ピークホールドを行わない通常の再生であるが、図８のステップ８１において、図１２のようにピークホールドボタン４７が押下されている場合には、再生しながら逐次ピークホールド画像の生成処理が行われ、その時点までのピークホールド画像が逐次画像表示領域４１に表示される。ピークホールド画像の生成処理は、制御装置４１３内のピークホールド画像生成部１２によって生成される。
【００５５】
すなわち、図８のステップ８２の前のステップ８１において、ピークホールドボタン４７が押下されている場合には、図１３のステップ１８２〜１９６に進む。ステップ１８２〜１９７は、図８のステップ８２〜９７にそれぞれ対応しており、ステップ８２〜９７と同様に画像再生操作用トラックバー４４および再生速度操作用スライダー４５により再生画像を選択され、再生速度が設定される。ただし、ピークホールドボタン４７が押下されているので、ステップ１８３，１８５，１８６，１８７，１８９，１９１，１９３においては、表示制御部１１は単に画像を表示させるのではなく、再生のために読み出した画像データを順次ピークホールド画像生成部１２に受け渡し、順次加算処理させ、ピークホールド画像を生成させる。ピークホールド画像生成処理の方法は、広く知られているので、詳しい説明はここでは省略する。表示制御部１１は、生成されたピークホールド画像を順次表示する。なお、ステップ１８４においては、操作者が画像再生操作用トラックバー４４の帯状領域５３の所望の位置を押下した場合、押下によって指定された位置の画像が即座に表示され、途中の画像はスキップされて表示されないため、スキップされて表示されない画像はピークホールド画像生成部１２には受け渡されず、加算処理されない。また、再生・停止ボタン５４を所望の位置までスライドさせた場合、スライドさせた範囲の画像が順次表示され、ピークホールド画像生成部１２による加算処理も行われる。
【００５６】
表示されたピークホールド画像は、操作用表示領域４２の保存ボタン４８を操作者が押下することにより、制御装置４１３内の記憶装置に格納される(ステップ１９７，１９８）。
【００５７】
図１４（ａ）は、図８のステップ８２〜９６により再生される画像を所定の時間間隔で示したものである。図１４（ａ）により、造影剤が血管中を流れて末梢部に移動する様子が観察できる。図１４（ｂ）は、図１４(ａ)と同じ画像を、図１３のステップ１８２〜１９６によりピークホールドしながら再生した画像を所定の時間間隔所定の時間間隔で示したものである。図１４（ｂ）では、ピークホールド処理により、造影剤像が加算されるため、時間が経過するにつれ血管像全体の形状が把握できる。
【００５８】
このように、本実施形態では、画像再生操作用トラックバー４４および再生速度操作用スライダー４５を組み合わせることにより、一連の連続画像を操作者が再生したい範囲に絞り込んで、所望の再生速度で再生またはピークホールド再生を行うことができる。よって、造影剤が映っていない不要な画像を省き、短時間に再生またはピークホールド再生を行うことができる。そのため、操作者が、再生速度やピークホールドの有無等を変更しながら何度も繰り返し再生しても、全体の再生時間を短時間に収めることが可能である。
【００５９】
また、画像再生操作用トラックバー４４および再生速度操作用スライダー４５を組み合わせることにより、絞り込み、再生および再生速度の設定操作として複数の操作方法を提供できる。よって、操作者は、自分が操作しやすい方法を選んで操作することができ、絞り込みの動作や再生操作を短時間に容易に行うことができる。
【００６０】
なお、表示制御部１１の再生表示および再生しながらのピークホールド画像表示の処理動作は、図８および図１３のフローに限定されるものではなく、他の処理動作にすることもできる。例えば、図１５〜図１７のステップ５０１〜５２０のフローや、図１８〜図２０のステップ６０１〜６２１のフローを用いることも可能である。図１５〜図１７のフローは、トラックバー４４の再生・停止ボタン５４の押下から再生開始した場合のフローであり、図１８〜図２０のフローは、スライダーボタン６３のスライドにより再生開始した場合のフローである。図１５〜図１７のフローにおいて、括弧書きで示されたステップ番号は、図１３の対応するステップを示している。図１５〜図１７のステップ５０１〜５２０のフローや、図１８〜図２０のステップ６０１〜６２１のフローは、いずれも再生中のリアルタイム操作に対応可能なフローになっている。
【符号の説明】
【００６１】
８：Ｘ線管、１１：表示制御部、１２：ピークホールド画像生成部、４１：画像表示領域、４２：操作用表示領域、４３：シネボタン、４４：画像再生操作用トラックバー、４５：再生速度操作用スライダー、４６：再生開始画像・終了画像登録ボタン、５１、５２：送りボタン、５３：帯状領域、５４：再生・停止ボタン、６１：再生・停止ボタン、６２：帯状領域、６３：スライダーボタン、６４：矢印表示
【図１】
2013046901.tif 000003
【図２】
2013046901.tif 000004
【図３】
2013046901.tif 000005
【図４】
2013046901.tif 000006
【図５】
2013046901.tif 000007
【図６】
2013046901.tif 000008
【図７】
2013046901.tif 000009
【図８】
2013046901.tif 000010
【図９】
2013046901.tif 000011
【図１０】
2013046901.tif 000012
【図１１】
2013046901.tif 000013
【図１２】
2013046901.tif 000014
【図１３】
2013046901.tif 000015
【図１４】
2013046901.tif 000016
【図１５】
2013046901.tif 000017
【図１６】
2013046901.tif 000018
【図１７】
2013046901.tif 000019
【図１８】
2013046901.tif 000020
【図１９】
2013046901.tif 000021
【図２０】
2013046901.tif 000022
【手続補正書】
【提出日】平成26年3月6日(2014.3.6)
【手続補正１】
【補正対象書類名】明細書
【補正対象項目名】００４３
【補正方法】変更
【補正の内容】
【００４３】
再生開始・終了画像登録ボタン４６は、「From」ボタン４６ａと「To」ボタン４６ｂとを含む。操作者は、上記操作により造影剤が映った最初の画像を見つけたならば「From」ボタン４６ａを押下する（ステップ３７）。これにより、表示制御部１１は、この画像のデータを「再生開始画像」として登録する。具体的には、フラグを立てる等して、記憶装置に記憶する。また、図７のように、画像再生操作用トラックバー４４の帯状領域５３の再生開始画像に対応する位置を示す矢印７１と縦線７２を表示する（ステップ３８）。
【手続補正２】
【補正対象書類名】明細書
【補正対象項目名】００４７
【補正方法】変更
【補正の内容】
【００４７】
操作者がピークホールドボタン４７を押下していない状態で（ステップ８１）、画像再生操作用トラックバー４４の再生・停止ボタン５４を押下した場合、表示制御部１１は、すでに絞り込まれている再生範囲の先頭の「再生開始画像」から画像を順に読み出して１倍の速度で画像表示領域４１に表示させる（ステップ８２，８３）。これにより、再生・停止ボタン５４内のマークは、停止指示が受け付け可能であることを示す２本の縦線マークが図９（ａ）のように表示される。
【手続補正３】
【補正対象書類名】明細書
【補正対象項目名】００５２
【補正方法】変更
【補正の内容】
【００５２】
また、図１１のように、操作者が再生速度操作用スライダー４５の再生・停止ボタン６１を押下せず、停止状態のまま、スライダーボタン６３をスライドさせた場合には、表示制御部１１は、スライドした位置の目盛の再生速度で、絞り込まれた画像範囲の「再生開始画像」から再生を開始する（ステップ９２，９３）。操作者が、スライダーボタン６３から手を離したならば、表示制御部１１は、スライダーボタン６３を元の位置に戻し、再生を停止させる。
【手続補正４】
【補正対象書類名】明細書
【補正対象項目名】００５３
【補正方法】変更
【補正の内容】
【００５３】
上記ステップ８２〜９１により再生が行われているときに、再生・停止ボタン５４または６１が押下されると再生は停止される（ステップ９４、９６）。また、上記各ステップにより再生中に画像が、絞り込みにより登録された「再生終了画像」に到達した場合にも再生は終了される。これにより、「再生終了画像」以降の画像は再生されず、操作者が絞り込んだ範囲のみの画像を再生することができる。上記では、「再生終了画像」に到達した場合にも再生は終了される例を示したが、これに限らず、「再生終了画像」に到達した場合にループ再生する様に構成することも可能である。
【手続補正５】
【補正対象書類名】図面
【補正対象項目名】図８
【補正方法】変更
【補正の内容】
【図８】
2013046901.tif 000023
【手続補正６】
【補正対象書類名】図面
【補正対象項目名】図１３
【補正方法】変更
【補正の内容】
【図１３】
2013046901.tif 000024
【手続補正７】
【補正対象書類名】図面
【補正対象項目名】図１６
【補正方法】変更
【補正の内容】
【図１６】
2013046901.tif 000025
【手続補正８】
【補正対象書類名】図面
【補正対象項目名】図１９
【補正方法】変更
【補正の内容】
【図１９】
2013046901.tif 000026
【国際調査報告】
2013046901.tif 000027
2013046901.tif 000028
2013046901.tif 000029
2013046901.tif 000030